(57)【要約】【課題】幕板がなくても支持脚の取付け強度の低下がなく、天板の四隅に支持脚を配置できる様にしたテーブルを提供する。【解決手段】方形状の天板１の隅角部２を円弧状に形成すると共に、該隅角部２の底部に前記円弧と同径で連続する円形状の水平な底面6aを備えた凹欠部６を形成し、該凹欠部６に接着剤を塗布すると共に、凹欠部６と同径にして、且つ同一高さ以上の円柱状のコーナーブロック３を、その一方の水平端面3aが前記底面6aに衝合する様にして凹欠部６に挿嵌し、該コーナーブロック３において前記底面6aに衝合されない他方の水平端面3bの中心及びその周囲に凹設した複数の陥没孔７より固定ネジを天板１に螺着し、前記他方の水平端面3bには、これと同径にして、その中心の陥没孔７に埋入されるナット部8aを設けた固定板８を衝合して固着し、該固定板８のナット部8aに支持脚４の上端に突設したネジ棒９を螺着する。【選択図】図６
2012024135.tif 000002
【特許請求の範囲】
【請求項１】
方形状の天板の隅角部を円弧状に形成すると共に、該隅角部の底部に前記円弧と同径で連続する円形状の水平な底面を備えた凹欠部を形成し、該凹欠部に接着剤を塗布すると共に、凹欠部と同径にして、且つ同一高さ以上の円柱状のコーナーブロックを、その一方の水平端面が前記底面に衝合する様にして凹欠部に挿嵌し、コーナーブロックにおいて前記底面に衝合されない他方の水平端面の中心及びその周囲に凹設した複数の陥没孔より固定ネジを天板に螺着し、前記他方の水平端面には、これと同径にして、その中心の陥没孔に埋入されるナット部を設けた固定板を衝合して固着し、該固定板のナット部に支持脚の上端に突設したネジ棒を螺着したことを特徴とするテーブル。
【請求項２】
天板側面の上部を垂直に形成し、天板側面の下部を所定幅を以て内側へ後退する様に切欠したことを特徴とする請求項１記載のテーブル。
【発明の詳細な説明】
【技術分野】
【０００１】
本発明はテーブルに関する。
【背景技術】
【０００２】
従来、テーブルは、その天板底部に固定される幕板を、天板の隣接する支持脚間に架設連結することで構成されている（例えば、特許文献１参照）。
幕板は、例えば、その下端に形成した凹孔からねじ込まれる止めネジによって天板底部に固定され、この様に幕板が天板に固定されることで、テーブルの支持脚は、その横方向強度を高めている。
【先行技術文献】
【特許文献】
【０００３】
【特許文献１】実開昭５６−１２８０３１号公報
【発明の概要】
【発明が解決しようとする課題】
【０００４】
しかしながら、上記構成のテーブルでは、支持脚が天板の側縁に近接している場合には、支持脚を連結する幕板が見えてしまい体裁が悪い。
又、幕板が容易に見えない様に、例えば天板が方形状であれば、天板裏面の四隅よりも充分に離間した内側へ支持脚と共に配置させると、天板のオーバーハング量が大きくなるため、またもや体裁が悪くなり、しかも天板の安定性は低下すると共に、支持脚間に充分な間隔がとれず、所望の椅子の座部を天板下に配置できない等の課題を有している。
【０００５】
そこで本発明では、幕板がなくても支持脚の取付け強度の低下がなく、天板の四隅に支持脚を配置できる様にしたテーブルを提供することを目的としている。
【課題を解決するための手段】
【０００６】
上記課題に鑑み、本発明のテーブルは、方形状の天板の隅角部を円弧状に形成すると共に、該隅角部の底部に前記円弧と同径で連続する円形状の水平な底面を備えた凹欠部を形成し、該凹欠部に接着剤を塗布すると共に、凹欠部と同径にして、且つ同一高さ以上の円柱状のコーナーブロックを、その一方の水平端面が前記底面に衝合する様にして凹欠部に挿嵌し、コーナーブロックにおいて前記底面に衝合されない他方の水平端面の中心及びその周囲に凹設した複数の陥没孔より固定ネジを天板に螺着し、前記他方の水平端面には、これと同径にして、その中心の陥没孔に埋入されるナット部を設けた固定板を衝合して固着し、該固定板のナット部に支持脚の上端に突設したネジ棒を螺着したことを特徴とする。
又、上記テーブルは、その天板側面の上部を垂直に形成し、天板側面の下部を所定幅を以て内側へ後退する様に切欠しても良い。
【発明の効果】
【０００７】
要するに本発明は、方形状の天板の隅角部を円弧状に形成すると共に、該隅角部の底部に前記円弧と同径で連続する円形状の水平な底面を備えた凹欠部を形成したので、支持脚を連結するコーナーブロックを天板各隅角部に容易にして確実に位置決めできる。
又、凹欠部に接着剤を塗布すると共に、凹欠部と同径にして、且つ同一高さ以上の円柱状のコーナーブロックを、その一方の水平端面が凹欠部の底面に衝合する様にして凹欠部に挿嵌したので、前記底面に衝合されるコーナーブロックの一方の水平端面のみならず、凹欠部の内周面に衝合されるコーナーブロックの外周面も接着剤にて接着できるため、その接着力を増すことができる。
その上、コーナーブロックにおいて、凹欠部底面に衝合されない他方の水平端面の中心及びその周囲に凹設した複数の陥没孔より固定ネジを天板に螺着したので、凹欠部とコーナーブロックの衝合面の圧接状態を保持して上記接着力を高められ、コーナーブロックを天板の四隅に堅固に一体的に固着できる。
この様に、コーナーブロックを天板隅角部の底部にがっちり強固に一体固定でき、使用中に外れることがないため、コーナーブロックの上記他方の水平端面に、これと同径にして、その中心の陥没孔に埋入されるナット部を設けた固定板を衝合して固着し、該固定板のナット部に支持脚の上端に突設したネジ棒を螺着しても、支持脚がガタついたり、外れたりすることがない。
よって、本発明によれば、幕板がなくても、支持脚の取付け強度の低下がなく、天板の四隅に支持脚を配置できるから、天板底部で隣接する支持脚同士の間隔を最大限に確保することができ、幕板を有しないので、外観上見栄えの良いテーブルを提供できる。
【０００８】
又、天板側面の上部を垂直に形成し、天板側面の下部を所定幅を以て内側へ後退する様に切欠したので、天板の厚みを見掛け上で薄くでき、スマートなデザインと成すことができる等その実用的効果甚だ大である。
【図面の簡単な説明】
【０００９】
【図１】本発明に係るテーブルの斜視図である。
【図２】天板裏面の斜視図である。
【図３】コーナーブロックを固着した天板裏面の斜視図である。
【図４】固定板を固着した天板裏面と支持脚の斜視図である。
【図５】凹欠部、コーナーブロック及び固定板を各隅角部に示した天板の底面図である。
【図６】支持脚の要部と天板隅角部の断面を示す図である。
【発明を実施するための形態】
【００１０】
以下本発明の実施の一形態例を図面に基づいて説明する。
本発明に係るテーブルは、図１に示す様に、方形状の天板１と、該天板１の各隅角部２に取付けたコーナーブロック３と、該コーナーブロック３に垂設した支持脚４とから構成している。
【００１１】
天板１は、無垢の板材、パーティクルボード、フラッシュパネル等の木製から成り、その表面にメラミン樹脂塗装等により化粧仕上げしている。
又、天板１は、その各隅角部２が同径の円弧状に湾曲形成され、天板側面５の上部5aを垂直に形成し、天板側面５の下部5bを所定幅を以て内側へ後退する様（図示例では断面湾曲傾斜状）に切欠している。
そして、隅角部２の底部に上記円弧と同径で連続する円形状の水平な底面6aを有する凹欠部６を形成し、該凹欠部６の底面6aの中心及びその周囲には、底面6aに開口する複数の埋込みナット（鬼目ナット）Ｎが埋設されている。
【００１２】
コーナーブロック３は、無垢の木製から成り、凹欠部６と同径にして、且つ同一高さ以上の（図示例では天板１と同厚で凹欠部６より高い）円柱状に形成されている。
このコーナーブロック３は、凹欠部６の内面全体（底面6aと内周面6b）に接着剤を塗布した後に、該凹欠部６に、その底面6aとコーナーブロック３の一方の水平端面3aを衝合する様に挿嵌され、これにより凹欠部６内にコーナーブロック３が接着される。
【００１３】
又、凹欠部底面6aに衝合されないコーナーブロック３の他方の水平端面（以下、他端面3bと称する。）において、底面6aに開口した埋込みナットＮに位置対応する中心及びその周囲の夫々には、円形状の陥没孔７を凹設し、該陥没孔７底面にはネジ挿通孔7aを穿設している。
そして、各陥没孔７よりネジ挿通孔7aを貫通する固定ネジＳを天板１の埋込みナットＮに螺着する。
この様にコーナーブロック３は接着剤と固定ネジＳによって天板１の四隅に堅固に一体的に固着される。
【００１４】
又、コーナーブロック３の他端面3bには、これと同径にして、その中心の陥没孔７に埋入されるナット部8aを設けた金属製の薄肉な固定板８を衝合し、該固定板８の適所に貫設した複数のビス挿通孔8bを通した皿ビスＢにより、コーナーブロック３の他端面3bに固定板８を固着している。
【００１５】
支持脚４は、コーナーブロック３及び固定板８と同径の円柱状に形成され、その上端中心にネジ棒９を突設し、該ネジ棒９を固定板８のナット部8aに螺着する。
これにより、コーナーブロック３の他端面3bに固定板８を介して支持脚４を連続一体化したテーブルが組み立てられる。
【符号の説明】
【００１６】
１  天板
２  隅角部
３  コーナーブロック
3a  一方の水平端面
3b  他方の水平端面
４  支持脚
５  天板側面
5a  上部
5b  下部
６  凹欠部
6a  底面
７  陥没孔
８  固定板
8a  ナット部
９  ネジ棒
Ｓ  固定ネジ
【図１】
2012024135.tif 000003
【図２】
2012024135.tif 000004
【図３】
2012024135.tif 000005
【図４】
2012024135.tif 000006
【図５】
2012024135.tif 000007
【図６】
2012024135.tif 000008